(57)【要約】【課題】適切なチップ情報をユーザに提供する。【解決手段】チップ情報提供装置は、位置情報とチップ情報とが関連付けられ格納される情報格納手段と、移動端末の位置情報を取得する取得手段と、情報格納手段から抽出され、取得手段により取得された移動端末の位置情報との関係に応じて優先付けされたチップ情報リストを生成するリスト生成手段と、このリスト生成手段により生成されたチップ情報リストを移動端末宛てに送信する送信手段と、を備える。【選択図】図２
2012141914.tif 000002
【特許請求の範囲】
【請求項１】
位置情報とチップ情報とが関連付けられ格納される情報格納手段と、
移動端末の位置情報を取得する取得手段と、
前記情報格納手段から抽出され、前記取得手段により取得された移動端末の位置情報との関係に応じて優先付けされたチップ情報リストを生成するリスト生成手段と、
前記リスト生成手段により生成されたチップ情報リストを前記移動端末宛てに送信する送信手段と、
を備えることを特徴とするチップ情報提供装置。
【請求項２】
前記情報格納手段には、各支払先について、時間情報、位置情報及びチップ情報がそれぞれ関連付けられて格納されており、
前記取得手段は、前記移動端末の位置情報に加えて更に時間情報を取得し、
前記リスト生成手段は、前記取得手段により取得された時間情報に適合するチップ情報リストを前記情報格納手段から抽出し、該抽出されたチップ情報リストを前記取得手段により取得された移動端末の位置情報との関係に応じて優先付けする、
ことを特徴とする請求項１に記載のチップ情報提供装置。
【請求項３】
前記移動端末のユーザにとって支払先となり得る支払先ユーザにより操作される他の装置から、該支払先に関する、営業時間、位置情報及びチップ情報を受信する受信手段と、
前記支払先ユーザへの課金処理の後、課金決済に成功した場合に、前記受信手段により受信された支払先に関する営業時間、位置情報及びチップ情報を関連付けて前記情報格納手段に格納する課金処理手段と、
を更に備えることを特徴とする請求項２に記載のチップ情報提供装置。
【請求項４】
現在の位置情報を送信する送信手段と、
前記送信手段により送信された位置情報が示す位置に近い順に高い優先度が付されたチップ情報リストを受信する受信手段と、
前記受信手段により受信されたチップ情報リストを前記優先度に応じて表示部に表示させる表示制御手段と、
を備えることを特徴とする移動端末。
【請求項５】
前記送信手段は、前記位置情報と共に更に時間情報を送信し、
前記受信手段は、前記時間情報及び前記位置情報に適合するチップ情報リストであって、前記位置情報が示す位置に近い順に高い優先度が付されたチップ情報リストを受信する、
ことを特徴とする請求項４に記載の移動端末。
【請求項６】
前記表示制御手段は、前記表示部に表示されたチップ情報リストから選択された１つのチップ情報及び入力された支払い金額に基づいて、チップを含む支払い総額を前記表示部に表示させる、
ことを特徴とする請求項４又は５に記載の移動端末。
【請求項７】
コンピュータが、
移動端末の位置情報を取得するステップと、
位置情報とチップ情報とが関連付けられ格納される情報格納部から抽出され、前記取得された移動端末の位置情報との関係に応じて優先付けされたチップ情報リストを生成するステップと、
前記生成されたチップ情報リストを前記移動端末宛てに送信するステップと、
を実行することを特徴とするチップ情報提供方法。
【請求項８】
コンピュータを、
位置情報とチップ情報とが関連付けられ格納される情報格納手段と、
移動端末の位置情報を取得する取得手段と、
前記情報格納手段から抽出され、前記取得手段により取得された移動端末の位置情報との関係に応じて優先付けされたチップ情報リストを生成するリスト生成手段と、
前記リスト生成手段により生成されたチップ情報リストを前記移動端末宛てに送信する送信手段、
として機能させることを特徴とするプログラム。
【発明の詳細な説明】
【技術分野】
【０００１】
本発明は、チップ（サービス料金）情報を提供する技術に関する。
【背景技術】
【０００２】
現在、国際ローミングサービス等を利用することにより、日本で使用している携帯電話等のような移動端末を海外においてそのまま使って通話やインターネット接続が可能となっている。このような環境で役立つアプリケーションが例えば下記特許文献１において提案されている。
【０００３】
このアプリケーションは、海外で当該移動端末が利用される際に、現地の通貨に合わせて金額を変換するものである。具体的には、日本を母国とするユーザが米国において携帯電話を使用する場合において、当該携帯電話が、日本の通貨単位による金額の入力を受けると、米国の基地局から取得された国のＩＤコードに応じて、米国の通貨単位にその金額を変換して表示する。
【先行技術文献】
【特許文献】
【０００４】
【特許文献１】特開２００１−３６９６６号公報
【特許文献２】特開２００４−２１３２０４号公報
【特許文献３】特開２００６−１５５５４６号公報
【特許文献４】特開２００２−３１９０４４号公報
【特許文献５】特開平１１−２５９５８５号公報
【発明の概要】
【発明が解決しようとする課題】
【０００５】
しかしながら、上述の従来手法は、通貨を変換しているに過ぎないため、ユーザは、表示された金額に基づいてサービス料金（チップ）を考慮して支払い金額を自身で計算する必要があった。
【０００６】
ところが、チップは、国や地域や店等に応じて異なるため、ユーザにとって適切なチップ情報を知ることは困難な場合が多い。例えば、チップの習慣が存在する国及び地域であっても、サービス料金が含まれた金額が設定されている店の場合には、チップを支払う必要はない。
【０００７】
本発明の目的は、適切なチップ情報をユーザに提供することにある。
【課題を解決するための手段】
【０００８】
本発明の各態様では、上述した課題を解決するために、それぞれ以下の構成を採用する。
【０００９】
第１の態様は、チップ情報提供装置に関する。第１態様に係るチップ情報提供装置は、位置情報とチップ情報とが関連付けられ格納される情報格納手段と、移動端末の位置情報を取得する取得手段と、情報格納手段から抽出され、取得手段により取得された移動端末の位置情報との関係に応じて優先付けされたチップ情報リストを生成するリスト生成手段と、このリスト生成手段により生成されたチップ情報リストを移動端末宛てに送信する送信手段と、を備える。
【００１０】
第２の態様は、移動端末に関する。第２の態様に係る移動端末は、現在の位置情報を送信する送信手段と、この送信手段により送信された位置情報が示す位置に近い順に高い優先度が付されたチップ情報リストを受信する受信手段と、この受信手段により受信されたチップ情報リストを当該優先度に応じて表示部に表示させる表示制御手段と、を備える。
【００１１】
第３の態様は、チップ情報提供方法に関する。第３態様に係るチップ情報提供方法では、コンピュータが、移動端末の位置情報を取得するステップと、位置情報とチップ情報とが関連付けられ格納される情報格納部から抽出され、上記取得された移動端末の位置情報との関係に応じて優先付けされたチップ情報リストを生成するステップと、この生成されたチップ情報リストを移動端末宛てに送信するステップと、を実行する。
【００１２】
なお、本開示の別態様としては、以上の第１態様及び第２態様から構成されるシステムであってもよいし、第１態様又は第２態様の構成をコンピュータに実現させるプログラムであってもよいし、そのようなプログラムを記録したコンピュータが読み取り可能な記憶媒体であってもよい。
【発明の効果】
【００１３】
上記各態様によれば、適切なチップ情報をユーザに提供することができる。
【図面の簡単な説明】
【００１４】
【図１】第１実施形態における移動通信システムの構成例を概念的に示す図。
【図２】制御サーバの処理構成例を概念的に示すブロック図。
【図３】チップ情報テーブルの例を示す図。
【図４】第１実施形態における詳細チップ情報テーブルの例を示す図。
【図５】第１実施形態における移動通信システムの動作例を示すシーケンスチャート。
【図６】第１実施形態における移動端末の表示画面の例を示す図。
【図７】第２実施形態における詳細チップ情報テーブルの例を示す図。
【図８】第３実施形態における移動通信システムの動作例を示すシーケンスチャート。
【図９】第３実施形態における移動端末の表示画面の例を示す図。
【発明を実施するための形態】
【００１５】
以下、本発明の実施の形態について説明する。なお、以下に挙げる実施形態は例示であり、本発明は以下の実施形態の構成に限定されない。
【００１６】
［第１実施形態］
〔システム構成〕
図１は、第１実施形態における移動通信システム１の構成例を概念的に示す図である。第１実施形態における移動通信システム１は、基地局５、制御サーバ１０等を有する。基地局５は、ネットワーク７を介して制御サーバ１０に接続される。なお、図１には、本発明に関連する構成のみが示されているが、移動通信システム１は、一般的な移動通信網を実現するために、複数の基地局５、複数の他の制御装置を有している。
【００１７】
移動通信システム１は、基地局５を介して移動端末３に通話サービス、通信サービス等を提供する。また、移動通信システム１は、ネットワーク９を介して情報登録端末２に通信可能に接続される。
【００１８】
ネットワーク７及び９は、公衆網であってもよいし、専用網であってもよい。本実施形態では、制御サーバ１０が移動端末３及び情報登録端末２から送信される通信データ（パケット）を取得可能であり、移動端末３へ所定情報を提供可能であれば、ネットワーク７及び９の実施形態は限定されない。また、ネットワーク７及び９は、１つのネットワークであってもよい。
【００１９】
基地局５は、その基地局５が設置されている場所における位置情報を保持し、移動端末３からの要求によりそれらの情報を移動端末３へ送信する。基地局５は、自セル（自通信エリア）内に存在する移動端末３との間で無線リンクを確立し、移動端末３と制御サーバ１０との間で送受信される通信データ及び音声データを中継する。その他、基地局５は、一般的な基地局の機能を有していればよい。
【００２０】
情報登録端末２は、制御サーバ１０にチップ情報を登録するための一般的なコンピュータである。情報登録端末２は、移動端末であってもよいし、固定端末であってもよい。情報登録端末２は、制御サーバ１０に登録すべきチップ情報をユーザに入力させることができ、入力されたチップ情報を制御サーバ１０に送信することができれば、本実施形態ではその機能を特に限定しない。例えば、情報登録端末２は、ＷＥＢブラウザにより制御サーバ１０にアクセスすることにより、所望のチップ情報をユーザに入力させる。情報登録端末２から制御サーバ１０へ送られるチップ情報の詳細については後述する。
【００２１】
移動端末３は、携帯電話、ネットブック等のような移動通信機能を搭載した可搬型コンピュータである。移動端末３は、無線通信機能、位置情報取得機能、情報表示機能等を有する。無線通信機能は、最寄りの基地局５を介して移動端末３を移動通信システム１と無線接続させる。移動端末３は、この無線通信機能を利用することにより、制御サーバ１０に現在の位置情報を送り、制御サーバ１０からチップ情報リストを受信する。
【００２２】
位置情報取得機能は、移動端末３の現在位置（緯度及び経度）を取得する。位置情報取得機能は、ＧＰＳ（Global Positioning System）衛星からの電波を移動端末３に搭載されるＧＰＳアンテナで受信することにより移動端末３の現在位置を取得してもよいし、最寄りの基地局５から当該現在位置を取得してもよい。
【００２３】
移動端末３は、制御サーバ１０から送信されたチップ情報リストを最寄りの基地局５を介して受信し、このチップ情報リストを自身の表示部に表示させる。このとき、チップ情報リストには、移動端末３が送信した位置情報が示す位置に近い順に高い優先度が付されているため、その優先度が高い順に表示部に表示される。移動端末３における表示例については後述する。
【００２４】
〔装置構成〕
以下、制御サーバ１０の処理構成例について説明する。図２は、制御サーバ１０の処理構成例を概念的に示すブロック図である。図２に示すように、制御サーバ１０は、通信部１１、リスト生成部１２、課金処理部１３、チップ情報データベース（ＤＢ）１５等を含む。
【００２５】
制御サーバ１０は、例えば、ＣＰＵ（Central Processing Unit）、メモリ（ＲＡＭ（Random Access Memory）、ＲＯＭ（Read Only Memory）等）、入出力インタフェース等を有し、ＣＰＵによりメモリに記憶されるプログラムが実行されることで上記各処理部を実現する。チップ情報ＤＢ１５は、メモリ上で実現される。なお、本実施形態は、制御サーバ１０のハードウェア構成を限定しない。
【００２６】
通信部１１は、ネットワーク７及び９との通信インタフェースとして動作する。通信部１１は、移動端末３及び情報登録端末２との間でデータをやりとりする。具体的には、通信部１１は、移動端末３から送信されるデータを基地局５及びネットワーク７を介して受信し、移動端末３宛てのデータをネットワーク７へ送出する。また、通信部１１は、情報登録端末２から送信されるチップ情報を受信する。なお、本実施形態では、通信部１１で利用される通信プロトコルは限定されない。
【００２７】
チップ情報ＤＢ１５は、位置情報とチップ情報とを関連付けて格納する。具体的には、チップ情報ＤＢ１５は、チップ情報テーブル及び詳細チップ情報テーブルを含む。チップ情報テーブルは、或る程度の広さを持つ位置（場所）毎の一般的に知られているチップ情報を格納する。チップ情報テーブルは予め設定される。詳細チップ情報テーブルは、情報登録端末２から送信される詳細チップ情報の内容を格納する。
【００２８】
図３は、チップ情報テーブルの例を示す図である。図３の例では、或る程度の広さを持つ範囲としての地域毎に、支払先カテゴリ及びチップ情報がそれぞれ格納される。これにより、チップ情報テーブルに格納されるチップ情報の値は、一般的には、或る程度の値を持つ。図３の例では、チップ情報として、チップレートが設定されているが、チップの金額自体が設定されてもよい。
【００２９】
支払先カテゴリとは、支払先の分類情報である。図３の例では、支払先カテゴリとして、レストラン、ホテル、タクシーが挙げられている。なお、このような支払先カテゴリは一例であり、カフェやバー等のような他のカテゴリが存在してもよいし、中華レストランや軽食レストラン等のように更に詳細なカテゴリが設定されてもよい。
【００３０】
図４は、第１実施形態における詳細チップ情報テーブルの例を示す図である。図４の例における詳細チップ情報テーブルには、支払先毎に、支払先カテゴリ、支払先名称、位置情報、チップ情報がそれぞれ格納される。支払先とは、支払い先となる店舗や企業等を意味する。支払先名称には、支払先となる店舗名や企業名が格納される。位置情報には、支払先となる店舗や企業が存在している場所の位置を特定可能な情報（例えば、緯度情報及び経度情報）が格納される。
【００３１】
リスト生成部１２は、移動端末３から送信され通信部１１で受信された移動端末３の位置情報を取得し、この取得された位置情報に対応するチップ情報をチップ情報ＤＢ１５から抽出する。具体的には、リスト生成部１２は、移動端末３の位置情報が示す位置から所定範囲内の位置情報を含むレコード（チップ情報リスト）をチップ情報ＤＢ１５の詳細チップ情報テーブルから抽出する。なお、リスト生成部１２は、所定範囲を用いず、詳細チップ情報テーブルの全レコードを抽出するようにしてもよい。
【００３２】
リスト生成部１２は、該当レコードが存在する場合には、抽出されたレコードを移動端末３の位置情報が示す位置に近い順に高い優先度が付されるように優先付けする。ここで、優先付けでは、チップ情報リストの並び順により実現されてもよいし、各チップ情報に優先度を示すデータを付加するようにしてもよい。
【００３３】
一方、リスト生成部１２は、チップ情報ＤＢ１５の詳細チップ情報テーブルに該当するレコードが存在しない場合には、移動端末３の位置情報が示す位置に対応する地域のチップ情報をチップ情報ＤＢ１５のチップ情報テーブルから抽出する。リスト生成部１２は、チップ情報テーブルから抽出されたチップ情報のリストについても同様に、移動端末３の位置情報が示す位置に近い順に高い優先度が付されるように優先付けする。
【００３４】
リスト生成部１２は、優先付けされたチップ情報リストを通信部１１を介して、移動端末３宛てに送信する。
【００３５】
課金処理部１３は、情報登録端末２から送信されたチップ情報をチップ情報ＤＢ１５の詳細チップ情報テーブルに格納する前に、情報登録端末２のユーザに課金する。課金処理部１３は、当該ユーザに移動通信システム１への登録を行わせ、その登録に応じて課金処理を行う。例えば、課金処理部１３は、登録ユーザの情報を格納するテーブル（図示せず）を保持し、このテーブルに登録されていないユーザに対しては登録申請を行う。
【００３６】
課金処理部１３は、登録されたユーザに対してオンライン取引システムで一般的に行われる決済処理を行い、課金決済に成功すると、そのユーザにより入力された詳細チップ情報をチップ情報ＤＢ１５の詳細チップ情報テーブルに格納する。なお、決済処理自体については一般的なオンライン決済処理が適用されればよいため、ここでは詳細説明を省く。また、決済処理自体は、移動通信システム１以外の他の決済システムを利用するようにしてもよい。
【００３７】
〔動作例〕
以下、第１実施形態における移動通信システム１の動作例について説明する。図５は、第１実施形態における移動通信システム１の動作例を示すシーケンスチャートである。図５では、移動端末３がＧＰＳ衛星からの電波により自身の位置情報を得る場合の例が用いられている。
【００３８】
まず、移動通信システム１への詳細チップ情報の登録時の動作について説明する。移動通信システム１へチップ情報を登録したい店舗や企業は、情報登録端末２を用いて制御サーバ１０へアクセスする。ここでは、未だ、移動通信システム１にユーザ登録を行っていない或るレストランの或る店舗の店舗ユーザがチップ情報を登録する場合を例に挙げる。
【００３９】
このとき、情報登録端末２は、制御サーバ１０へユーザ登録申請を行う（Ｓ５０１）。制御サーバ１０では、そのユーザ登録申請を受けると、課金処理部１３がその店舗ユーザに対して課金処理を行う。これにより、情報登録端末２の店舗ユーザは登録料金の請求を受ける（Ｓ５０２）。情報登録端末２の店舗ユーザは、登録料金を支払う（Ｓ５０３）。なお、図５では、登録料金の請求及び支払いが制御サーバ１０と情報登録端末２との間でやりとりされるよう示すが、一般的なオンライン取引で利用される決済システムと情報登録端末２との間でやりとりされてもよい。
【００４０】
制御サーバ１０は、店舗ユーザの登録料金の支払いが完了したことを検知すると、情報登録端末２に対してチップ情報を要求する（Ｓ５０４）。例えば、この要求において、チップ情報の入力画面データが情報登録端末２へ送られる。
【００４１】
情報登録端末２では、その要求に応じて、店舗ユーザが所望のチップ情報を入力し、その入力されたチップ情報が制御サーバ１０へ送られる（Ｓ５０５）。制御サーバ１０へ送られるチップ情報には、例えば、図４に示されるように、その店舗に関する、カテゴリ、名称、位置情報、チップ情報（チップ金額又はチップレート）が含まれる。
【００４２】
制御サーバ１０では、当該店舗ユーザの課金決済に成功しているため、課金処理部１３が、情報登録端末２から送られた当該店舗ユーザの詳細チップ情報をチップ情報ＤＢ１５の詳細チップ情報テーブルに格納する（Ｓ５０６）。
【００４３】
次に、移動端末３が移動通信システム１のチップ情報提供サービスを利用する際の動作について説明する。移動端末３は、移動通信システム１へアクセスすると、図６の符号２１に示すような画面を表示するためのデータを移動通信システム１から受ける。
【００４４】
図６は、第１実施形態における移動端末３の表示画面の例を示す図である。移動端末３のユーザは、その表示画面２１を所定のユーザインタフェースを利用することで操作することにより、チップ情報を参照したい支払先カテゴリを選択する（Ｓ５１１）。図６の例によれば、支払先カテゴリとして「３．レストラン」が選択されている。
【００４５】
移動端末３は、支払先カテゴリが選択されると、ＧＰＳ衛星に位置情報の取得要求を送信する（Ｓ５１２）。ＧＰＳ衛星は、移動端末３の位置情報を送信する（Ｓ５１３）。なお、図５の例では、ＧＰＳ衛星が移動端末３の位置情報を検出しているが、移動端末３がＧＰＳ衛星からの電波に基づいて自身の位置情報を算出するようにしてもよい。また、移動端末３は、ＧＰＳ衛星が利用できない場合には、基地局５から位置情報を取得するようにしてもよい。
【００４６】
移動端末３は、自身の位置情報及び選択された支払先カテゴリを含むチップ情報取得要求を無線送信する（Ｓ５１４）。このチップ情報取得要求は、最寄りの基地局５で受信され、制御サーバ１０へ転送される。
【００４７】
制御サーバ１０では、そのチップ情報取得要求を受信すると、リスト生成部１２がそのチップ情報取得要求に含まれる支払先カテゴリ及び移動端末３の位置情報に適合するチップ情報リストをチップ情報ＤＢ１５から抽出する（Ｓ５１５）。
【００４８】
具体的には、リスト生成部１２は、チップ情報取得要求に含まれる支払先カテゴリと同一の支払先カテゴリを含み、かつ、移動端末３の位置情報が示す位置から所定範囲内の位置情報を含むレコード（チップ情報リスト）をチップ情報ＤＢ１５の詳細チップ情報テーブルから抽出する。リスト生成部１２は、抽出されたチップ情報リストが存在する場合には、その抽出されたチップ情報リストを、移動端末３の位置情報が示す位置に近い順に高い優先度が付されるように優先付けする。
【００４９】
一方、リスト生成部１２は、詳細チップ情報テーブルに該当するレコードが存在しない場合には、移動端末３の位置情報が示す位置に対応する地域のチップ情報をチップ情報ＤＢ１５のチップ情報テーブルから抽出する。リスト生成部１２は、チップ情報テーブルから抽出されたチップ情報のリストについても同様に、移動端末３の位置情報が示す位置に近い順に高い優先度が付されるように優先付けする。
【００５０】
リスト生成部１２は、優先付けされたチップ情報リストを通信部１１を介して、移動端末３宛てに送信する（Ｓ５１６）。このチップ情報リストは、基地局５を介して、移動端末３へ届けられる。
【００５１】
移動端末３は、そのチップ情報リストを受信すると、付された優先度に応じてそのチップ情報リストを表示部に表示させる（Ｓ５１７）。例えば、図６の符号２２に示す表示画面が表示される。図６の表示画面２２では、「近くにあるレストランＸ」が最も高い優先度のチップ情報（チップなし＝サービス料込み）として表示され、「近辺の相場」として、その他のチップ情報リストが近い順に表示されている。
【００５２】
〔第１実施形態の作用及び効果〕
上述のように、第１実施形態では、制御サーバ１０がチップ情報と位置情報とを関連づけて保持し（チップ情報ＤＢ１５）、制御サーバ１０は、移動端末３から送られてくる現在の位置情報に適合したチップ情報リストを移動端末３宛てに送信し、移動端末３においてそのチップ情報リストが表示される。
【００５３】
従って、第１実施形態によれば、移動端末３の存在位置に応じて、適切なチップ情報をユーザに提供することができる。また、ユーザに提供されるチップ情報リストは、ユーザの位置に近い順に優先付けされているため、国や地域毎に異なるチップ情報（サービス料金）であってもユーザは的確に知ることができる。
【００５４】
更に、第１実施形態では、店舗や企業等に対して有料で自身のチップ情報を登録させる。これにより、店舗や企業等は、移動通信システム１の本サービスを利用するユーザに対して自身の存在を宣伝することができる。ユーザにとっては、店舗や企業等により情報登録端末２を介して登録された詳細チップ情報が存在する場合には、具体的に店舗毎のチップ情報を知ることができるため、より適切なチップ情報を得ることができる。更に、第１実施形態によれば、店舗や企業などに対しては有料とすることができるため、移動通信システム１の本サービスを有料サービスとして運用することができる。
【００５５】
［第２実施形態］
第１実施形態では、移動端末３の位置情報に適合したチップ情報リストがユーザに提供されたが、第２実施形態は、時間情報が更に考慮されたチップ情報リストを提供する。
【００５６】
システム構成及び装置構成については第１実施形態と同様であるが、制御サーバ１０のリスト生成部１２及びチップ情報ＤＢ１５、並びに、移動端末３の処理が第１実施形態と異なる。以下、第２実施形態について、第１実施形態と異なる内容を中心に説明し、第１実施形態と同一の内容については適宜省略する。
【００５７】
図７は、第２実施形態における詳細チップ情報テーブルの例を示す図である。図７の例における詳細チップ情報テーブルには、第１実施形態の構成に、時間情報が加えられている。この時間情報には、例えば、店舗や企業等の営業時間が設定される。店舗や企業等のユーザは、情報登録端末２を利用することにより、この時間情報を加えた詳細チップ情報を制御サーバ１０へ登録する。
【００５８】
リスト生成部１２は、移動端末３から送信され通信部１１で受信された移動端末３の位置情報及び時間情報を取得し、移動端末３の時間情報に適合する時間情報を含み、かつ、移動端末３の位置情報が示す位置から所定範囲内の位置情報を含むレコード（チップ情報リスト）をチップ情報ＤＢ１５の詳細チップ情報テーブルから抽出する。リスト生成部１２は、第１実施形態と同様に、この抽出されたチップ情報リストを移動端末３の位置情報に応じて優先付けする。
【００５９】
移動端末３は、基地局５からその位置に応じた現在時刻を示す時間情報を取得する。移動端末３は、位置情報と共に、このように取得された時間情報を含めたチップ情報取得要求を制御サーバ１０へ送信する。
【００６０】
〔第２実施形態の作用及び効果〕
第２実施形態では、制御サーバ１０がチップ情報を位置情報及び時間情報と関連づけて保持し（チップ情報ＤＢ１５）、制御サーバ１０は、移動端末３から送られてくる現在の位置情報及び時間情報に適合したチップ情報リストを移動端末３宛てに送信し、移動端末３においてそのチップ情報リストが表示される。即ち、移動端末３のサービス利用時間が営業時間外である店舗や企業等のチップ情報は、ユーザに提供されるチップ情報リストから除外される。
【００６１】
従って、第１実施形態によれば、移動端末３のその時々の存在位置及びその位置に応じた時間に応じて、適切なチップ情報をユーザに提供することができる。
【００６２】
［第３実施形態］
上述の第１実施形態及び第２実施形態では、チップ金額及びチップレートのようなチップ情報がユーザに提供されたが、第３実施形態は、チップ金額を含めた支払い総額をユーザに提供する。
【００６３】
システム構成及び装置構成については第１実施形態又は第２実施形態と同様であるが、制御サーバ１０のリスト生成部１２、及び、移動端末３の処理が第１実施形態と異なる。以下、第３実施形態について、第１実施形態及び第２実施形態と異なる内容を中心に説明し、第１実施形態及び第２実施形態と同一の内容については適宜省略する。
【００６４】
リスト生成部１２は、優先付けされたチップ情報リストと共に、支払い総額を出力するためのアプリケーションプログラムを通信部１１を介して移動端末３へ送信する。このアプリケーションプログラムとは、ＪＡＶＡ（登録商標）アプレットやＦｌａｓｈ等のような移動端末３上で実行されるプログラムである。
【００６５】
〔動作例〕
以下、第３実施形態における移動通信システム１の動作例について説明する。図８は、第３実施形態における移動通信システム１の動作例を示すシーケンスチャートである。なお、移動端末３においてチップ情報リストが表示される（Ｓ５１７）までの動作は、支払い総額を出力するためのアプリケーションプログラムが制御サーバ１０から移動端末３へ送信されることを除いて、第１実施形態又は第２実施形態と同様であるため、ここでは説明を省略する。
【００６６】
移動端末３は、制御サーバ１０から、チップ情報リストと共に、当該アプリケーションプログラムを取得すると（Ｓ５１６）、図９の表示画面２２に示すように、チップ情報リストを表示する（Ｓ５１７）。表示画面２２は、ユーザ操作により、いずれか１つのチップ情報を選択可能に形成されている。図９は、第３実施形態における移動端末３の表示画面の例を示す図である。
【００６７】
ユーザは、移動端末３を操作することにより、表示画面２２に表示されるチップ情報リストの中のいずれか１つのチップ情報を選択する（Ｓ８０１）。チップ情報が選択されると、更に、移動端末３は、表示画面９１を表示させる。表示画面９１は、支払い金額をユーザに入力させるための画面である。ユーザは、この表示画面９１を操作することにより、支払い金額を入力する（Ｓ８０２）。この支払い金額は、チップ（サービス料金）を含まない金額である。
【００６８】
支払い金額が入力されると、移動端末３は、当該アプリケーションプログラムを実行することにより、選択されたチップ情報及び入力された支払い金額に基づいて、支払い総額を算出する。具体的には、チップ情報がチップレートである場合には、支払い金額にそのチップレートを乗算することによりチップ金額が算出され、そのチップ金額が支払い金額に加算されることで、支払い総額が算出される。一方、チップ情報がチップ金額である場合には、支払い金額にそのチップ金額が加算されることで、支払い総額が算出される。移動端末３は、その算出された支払い総額を表示画面９２のように表示させる（Ｓ８０３）。
【００６９】
なお、上述の説明では、支払い総額を算出するアプリケーションプログラムが制御サーバ１０から移動端末３へ送られる例を示したが、支払い総額は、制御サーバ１０が算出するようにしてもよい。その場合には、選択されたチップ情報及び入力された支払い金額は、移動端末３から制御サーバ１０へ送信され、表示画面９１及び９２の画面データが制御サーバ１０から移動端末３へ送信される。
【００７０】
〔第３実施形態の作用及び効果〕
第３実施形態では、チップ情報リストが移動端末３のユーザに提供されると共に、その中から選択された１つのチップ情報に基づく支払い総額が計算され、表示される。
【００７１】
従って、第３実施形態によれば、移動端末３のユーザは、チップ情報を選択し、支払い金額を入力するだけで、チップ（サービス料金）を含めた適切な支払い総額を得ることができる。
【００７２】
なお、上記実施形態の説明は、シーケンスチャートを用いており、それには複数のステップ（処理）を順番に記載しているが、その記載の順番は、本実施形態で実行される処理ステップの各順番を必ずしも限定するものではない。本実施形態では、図示される処理ステップの順番を内容的に支障しない範囲で変更することができる。また、上述した複数の実施形態は、その内容が相反しない範囲で組み合わせることができる。
【符号の説明】
【００７３】
１  移動通信システム
２  情報登録端末
３  移動端末
５  基地局
１０  制御サーバ
１１  通信部
１２  リスト生成部
１３  課金処理部
１５  チップ情報データベース（ＤＢ）
【図１】
2012141914.tif 000003
【図２】
2012141914.tif 000004
【図３】
2012141914.tif 000005
【図４】
2012141914.tif 000006
【図５】
2012141914.tif 000007
【図６】
2012141914.tif 000008
【図７】
2012141914.tif 000009
【図８】
2012141914.tif 000010
【図９】
2012141914.tif 000011